(57)【要約】　　　（修正有）【課題】取付けねじの頭部や先端が引き出しの内、外部に露出せず、見栄えがよく、使い勝手の良い引き出し用取っ手を提供する。【解決手段】上部には前面に突出した手掛かり部５ａを備え、引出し前板８に前面よりねじ等の固定具を介して取付けた取っ手本体５と、前記固定具を隠蔽する取っ手飾り６と、前記取っ手本体５と取っ手飾り６の両側端に側飾り７を嵌合した引出し用取っ手。【選択図】　図１
2004065558.tif 000002
【特許請求の範囲】
【請求項１】
上部には前面に突出した手掛かり部を備え、引出し前板に前面よりねじ等の固定具を介して取付けた取っ手本体と、前記固定具を隠蔽する取っ手飾りと、前記取っ手本体と取っ手飾りの両側端に側飾りを嵌合した引出し用取っ手。
【請求項２】
取っ手本体の中央部に上面が開放の複数の溝を有し、取っ手飾り後部に形成した係合リブを前記取っ手本体の溝に挿入し、前記取っ手本体と取っ手飾りの両側端に側飾りを嵌合した請求項１に記載の引出し用取っ手。
【請求項３】
取っ手本体の両側端部に嵌合穴を備え、側飾りの後部に嵌合片を備え、前記取っ手本体と取っ手飾りの両側端に前記側飾りを嵌合した状態で、前記嵌合片が前記嵌合穴に嵌合する構成の請求項１に記載の引出し用取っ手。
【請求項４】
取っ手飾りの断面が前方を頂上とする略山形状で、頂上部が取っ手本体の手掛かり部より後退した構成の請求項１〜３に記載の引出し用取っ手。
【発明の詳細な説明】
【０００１】
【発明の属する技術分野】
本発明はシステムキッチン等の引き出しに関するものである。
【０００２】
【従来の技術】
従来、この種引き出し用取っ手としては、図４、図５に示すようなものがあるが。
【０００３】
図４において、１は引き出し前板、２は取付穴、３は引き出し用取っ手、４は取付ねじを示し、引き出し用取っ手３は引き出し前板１の裏面より取付穴２を貫通した取付ねじ４で取り付けられている。また図５に示すものは、引き出し用取っ手３の前面から取付ねじ４で取り付けるものである。
【０００４】
【発明が解決しようとする課題】
しかしながら、前記従来の構成では、取付ねじの頭部が引き出しの内部に突出して収納物に傷を付けたり、引き出しの前面より取付ねじの頭部が見えるため見栄えが悪いという課題を有していた。
【０００５】
本発明は、前記従来の課題を解決するもので、見栄えがよく、使い勝手の良い引き出し用取っ手を提供することを目的とする。
【０００６】
【課題を解決するための手段】
前記従来の課題を解決するために、本発明の引き出し用取っ手は、上部には前面に突出した手掛かり部を備え、引出し前板に前面よりねじ等の固定具を介して取付けた取っ手本体と、前記固定具を隠蔽する取っ手飾りと、前記取っ手本体と取って飾りの両側端に側飾りを嵌合したものである。
【０００７】
これによって、取っ手本体は引き出し前板の前面より固定具で取り付けた後、取っ手飾りで隠蔽し、両側端に側飾りを嵌合することにより、取っ手本体、取っ手飾り、側飾りの取付ができることなる。
【０００８】
【発明の実施の形態】
請求項１に記載の発明は上部には前面に突出した手掛かり部を備え、引出し前板に前面よりねじ等の固定具を介して取付けた取っ手本体と、前記固定具を隠蔽する取っ手飾りと、前記取っ手本体と取って飾りの両側端に側飾りを嵌合することにより、取っ手飾りで取付具を隠蔽することができ、見栄えの良い引き出し用取っ手を引き出し前板に簡単に取り付けることができる。
【０００９】
請求項２に記載の発明は取っ手本体の中央部に上面が開放の複数の溝を有し、取っ手飾り後部に形成した係合リブを前記取っ手本体の溝に挿入し、前記取っ手本体と取っ手飾りの両側端に側飾りを嵌合とすることにより、取っ手飾りを取っ手本体に強固かつ確実に取り付けることができる。
【００１０】
請求項３に記載の発明は取っ手本体の両側端部に嵌合穴を備え、側飾りの後部に嵌合片を備え、前記取っ手本体と取っ手飾りの両側端に前記側飾りを嵌合した状態で、前記嵌合片が前記嵌合穴に嵌合する構成とすることにより、側飾りが取っ手本体に強固に固定されるため、使用中に取っ手飾りや側飾りが不用意に外れて怪我をしたり、部品の紛失を防ぐことができる。
【００１１】
請求項４に記載の発明は取っ手飾りの断面が前方を頂上とする略山形状で、頂上部が取っ手本体の手掛かり部より後退した構成とすることにより、取っ手飾りが引き出し開閉時のガイドとして作用すし、指先が自然に手掛かり部に案内され、しかも指および手の甲の部分に優しく当たるため使い勝手を良くすることができる。
【００１２】
【実施例】
以下本発明の実施例について、図面を参照しながら説明する。
【００１３】
図１は本発明の実施例の引き出し用取っ手を示す斜視図で、図２は断面図、図３背面からの斜視図である。
【００１４】
図２に示すように、アルミ等の形材で形成された取っ手本体５は取付ねじ９で引き出し前板８に固定されており、取っ手本体５の上部には手掛かり部５ａが形成されており、前面中央部には上面開放の２本の溝５ｂが形成されている。
【００１５】
６は取っ手飾りで前面に頂点６ａを有する略三角形状で、頂点６ａより後退した寸法に設定されている。また、取っ手本体５の手掛かり部５ａの前面下方の傾斜面５ｄと、取っ手飾り６の前面下方傾斜面６ｂは略同一の傾斜角度を有し、かつ略同一傾斜面に配置されている。
【００１６】
取っ手飾り６の後部上下には各々係合リブ６ｃが形成されており、取っ手本体５の溝５ｂに挿入し取付ねじ９を隠蔽する。
【００１７】
取っ手本体５と取っ手飾り６の幅寸法は略同一で、それらの両側端には側飾り７が取り付けられている。側飾り７の内側面には複数の嵌合脚７ａが配設されており、取っ手本体５と取っ手飾り６で構成される窪み部分に嵌合し、取っ手本体５、取っ手飾り６、側飾り７を相互に固定できる構造になっている。
【００１８】
図３に示すように、取っ手本体５の両側端部には、嵌合穴５ｃが設けられており、側飾り７の嵌合脚７ａの背面に形成された嵌合片７ｂが勘合し、取っ手飾り７の脱落を防止する。
【００１９】
以上のように構成された、引き出し用取っ手について、以下動作、作用を説明する。
【００２０】
引き出し用取っ手の取付は、取っ手本体５を取っ手前板８の前面に取付ねじ９で簡単に取り付けることができ、取付ねじ９は取っ手飾り６で隠蔽することができる。取っ手飾り６と側飾り７は、いずれも工具を使うことはなく簡単に取り付けることがでるものである。
【００２１】
以上のように、本実施例においては、取っ手本体、取っ手飾り、側飾りを簡単に取り付けられ、しかも外部から取付ねじが見えない構成としたことにより、見栄えの良い引き出し用取っ手を安価に提供することができる。
【００２２】
【発明の効果】
以上のように、請求項１から４のいずれか一項記載の発明によれば、取っ手飾りで取付具を隠蔽することができ、見栄えの良い引き出し用取っ手を引き出し前板に簡単に取り付けることができる。
【図面の簡単な説明】
【図１】本発明の実施例における引き出し用取っ手の斜視図
【図２】本発明の実施例における引き出し用取っ手の後方斜視図
【図３】本発明の実施例における引き出し用取っ手の前方斜視図
【図４】従来例の斜視図
【図５】従来例の斜視図
【符号の説明】
５　取っ手本体
５ａ　手掛かり部
５ｂ　溝
５ｃ　嵌合穴
６　取っ手飾り
６ｃ　係合リブ
７　側飾り
７ｂ　嵌合片
【図１】
2004065558.tif 000003
【図２】
2004065558.tif 000004
【図３】
2004065558.tif 000005
【図４】
2004065558.tif 000006
【図５】
2004065558.tif 000007